(57)【要約】【課題】提供スポット（ホットスポット）のＩＳＰに自動的に適合可能で、手動でのＩＳＰ契約データの変更を不必要にしたコンピュータ装置の提供。【解決手段】無線ＬＡＮ１３を介してインターネット接続を行う無線ＬＡＮ接続装置１１と、互いに異なる位置に在り、互いに異なるＩＳＰが管轄する、無線でのインターネット接続サービスを提供する空間である、提供スポット（ホットスポット）ＨＰ＃１及びＨＰ＃２のいずれにおいても、無線ＬＡＮ接続装置１１に、無線ＬＡＮ１３を介してのインターネット接続を可能にするイネーブリング装置１２とを有するコンピュータ装置１０であって、イネーブリング装置１２は、コンピュータ装置１０の現在の位置を表わす現在位置データを得る装置１７を備え、その現在位置データから現在居る提供スポットを特定し、提供スポット毎に異なるＩＳＰに自動的に適合できるようにし、手動でのＩＳＰ契約データの変更を不必要にした。【選択図】        図１
2004178135.tif 000002
【特許請求の範囲】
【請求項１】
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するコンピュータ装置であって、
前記イネーブリング装置は、
前記コンピュータ装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の地域を表わす第１及び第２の地域データと、前記第１及び前記第２の提供スポットを管轄する前記第１及び前記第２のＩＳＰを表わす第１及び第２のＩＳＰデータとを記憶している位置データテーブルと、
前記コンピュータ装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の地域データのうちの一つを特定の地域データとして出力すると共に、前記特定のスポットデータに対応する前記第１及び前記第２のＩＳＰデータのうちの一つを特定のＩＳＰデータとして出力する地域データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするコンピュータ装置。
【請求項２】
請求項１に記載のコンピュータ装置において、
前記複数の地域データに対応した前記複数の無線ＬＡＮ通信モードの各々は、対応した地域データにて表わされる地域にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを介してインターネット接続を行うものであることを特徴とするコンピュータ装置。
【請求項３】
請求項１に記載のコンピュータ装置において、
前記現在位置データ出力装置は、ＧＰＳ（Ｇｌｏｂａｌ  Ｐｏｓｉｔｉｏｎｉｎｇ  Ｓｙｓｔｅｍ）信号を受信し、該コンピュータ装置の現在の位置を表わす現在位置データを出力するＧＰＳ受信装置であることを特徴とするコンピュータ装置。
【請求項４】
請求項１に記載のコンピュータ装置において、
前記現在位置データ出力装置は、前記コンピュータ装置の現在の位置を表わす現在位置データを出力するジャイロスコープであることを特徴とするコンピュータ装置。
【請求項５】
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するコンピュータ装置であって、
前記イネーブリング装置は、
前記コンピュータ装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の国を表わす第１及び第２の国データと、前記第１及び前記第２の提供スポットを管轄する前記第１及び前記第２のＩＳＰを表わす第１及び第２のＩＳＰデータとを記憶している位置データテーブルと、
前記コンピュータ装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の国データのうちの一つを特定の国データとして出力すると共に、前記特定のスポットデータに対応する前記第１及び前記第２のＩＳＰデータのうちの一つを特定のＩＳＰデータとして出力する国データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の国データに対応した複数の無線ＬＡＮ通信モードを有し、前記イネーブル信号を受け、かつ、前記特定の国データを受けると、前記特定の国データに対応した前記複数の無線ＬＡＮ通信モードの一つを設定通信モードとして自動設定し、該設定通信モードにて前記無線ＬＡＮを介してインターネット接続を行うものであることを特徴とするコンピュータ装置。
【請求項６】
請求項５に記載のコンピュータ装置において、
前記複数の国データに対応した前記複数の無線ＬＡＮ通信モードの各々は、対応した国データにて表わされる前記国にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを介してインターネット接続を行うものであることを特徴とするコンピュータ装置。
【請求項７】
請求項５に記載のコンピュータ装置において、
前記現在位置データ出力装置は、ＧＰＳ（Ｇｌｏｂａｌ  Ｐｏｓｉｔｉｏｎｉｎｇ  Ｓｙｓｔｅｍ）信号を受信し、該コンピュータ装置の現在の位置を表わす現在位置データを出力するＧＰＳ受信装置であることを特徴とするコンピュータ装置。
【請求項８】
請求項５に記載のコンピュータ装置において、
前記現在位置データ出力装置は、前記コンピュータ装置の現在の位置を表わす現在位置データを出力するジャイロスコープであることを特徴とするコンピュータ装置。
【請求項９】
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するコンピュータ装置であって、
前記イネーブリング装置は、
前記コンピュータ装置の現在の位置を表わす現在位置データを出力する現在位置データ出力装置と、
前記現在位置データを受け、前記現在の位置が含まれている特定の地域を表わす特定の地域データを出力する地域データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットを管轄する前記第１及び前記第２のＩＳＰを表わす第１及び第２のＩＳＰデータとを記憶している位置データテーブルと、
前記コンピュータ装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２のＩＳＰデータのうちの一つを特定のＩＳＰデータとして出力するＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするコンピュータ装置。
【請求項１０】
請求項９に記載のコンピュータ装置において、
前記複数の地域データに対応した前記複数の無線ＬＡＮ通信モードの各々は、対応した地域データにて表わされる地域にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを介してインターネット接続を行うものであることを特徴とするコンピュータ装置。
【請求項１１】
請求項９に記載のコンピュータ装置において、
前記現在位置データ出力装置は、ＧＰＳ（Ｇｌｏｂａｌ  Ｐｏｓｉｔｉｏｎｉｎｇ  Ｓｙｓｔｅｍ）信号を受信し、該コンピュータ装置の現在の位置を表わす現在位置データを出力するＧＰＳ受信装置であることを特徴とするコンピュータ装置。
【請求項１２】
請求項９に記載のコンピュータ装置において、
前記現在位置データ出力装置は、前記コンピュータ装置の現在の位置を表わす現在位置データを出力するジャイロスコープであることを特徴とするコンピュータ装置。
【請求項１３】
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するクライアント装置であって、
前記イネーブリング装置は、
前記クライアント装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の地域を表わす第１及び第２の地域データと、前記第１及び前記第２の提供スポットを管轄する前記第１及び前記第２のＩＳＰを表わす第１及び第２のＩＳＰデータとを記憶している位置データテーブルと、
前記クライアント装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の地域データのうちの一つを特定の地域データとして出力すると共に、前記特定のスポットデータに対応する前記第１及び前記第２のＩＳＰデータのうちの一つを特定のＩＳＰデータとして出力する地域データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするクライアント装置。
【請求項１４】
請求項１３に記載のクライアント装置において、
前記複数の地域データに対応した前記複数の無線ＬＡＮ通信モードの各々は、対応した地域データにて表わされる地域にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを介してインターネット接続を行うものであることを特徴とするクライアント装置。
【請求項１５】
請求項１３に記載のクライアント装置において、
前記現在位置データ出力装置は、ＧＰＳ（Ｇｌｏｂａｌ  Ｐｏｓｉｔｉｏｎｉｎｇ  Ｓｙｓｔｅｍ）信号を受信し、該クライアント装置の現在の位置を表わす現在位置データを出力するＧＰＳ受信装置であることを特徴とするクライアント装置。
【請求項１６】
請求項１３に記載のクライアント装置において、
前記現在位置データ出力装置は、前記クライアント装置の現在の位置を表わす現在位置データを出力するジャイロスコープであることを特徴とするクライアント装置。
【請求項１７】
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するクライアント装置であって、
前記イネーブリング装置は、
前記クライアント装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の国を表わす第１及び第２の国データと、前記第１及び前記第２の提供スポットを管轄する前記第１及び前記第２のＩＳＰを表わす第１及び第２のＩＳＰデータとを記憶している位置データテーブルと、
前記クライアント装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の国データのうちの一つを特定の国データとして出力すると共に、前記特定のスポットデータに対応する前記第１及び前記第２のＩＳＰデータのうちの一つを特定のＩＳＰデータとして出力する国データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の国データに対応した複数の無線ＬＡＮ通信モードを有し、前記イネーブル信号を受け、かつ、前記特定の国データを受けると、前記特定の国データに対応した前記複数の無線ＬＡＮ通信モードの一つを設定通信モードとして自動設定し、該設定通信モードにて前記無線ＬＡＮを介してインターネット接続を行うものであることを特徴とするクライアント装置。
【請求項１８】
請求項１７に記載のクライアント装置において、
前記複数の国データに対応した前記複数の無線ＬＡＮ通信モードの各々は、対応した国データにて表わされる前記国にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを介してインターネット接続を行うものであることを特徴とするクライアント装置。
【請求項１９】
請求項１７に記載のクライアント装置において、
前記現在位置データ出力装置は、ＧＰＳ（Ｇｌｏｂａｌ  Ｐｏｓｉｔｉｏｎｉｎｇ  Ｓｙｓｔｅｍ）信号を受信し、該クライアント装置の現在の位置を表わす現在位置データを出力するＧＰＳ受信装置であることを特徴とするクライアント装置。
【請求項２０】
請求項１７に記載のクライアント装置において、
前記現在位置データ出力装置は、前記クライアント装置の現在の位置を表わす現在位置データを出力するジャイロスコープであることを特徴とするクライアント装置。
【請求項２１】
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するクライアント装置であって、
前記イネーブリング装置は、
前記クライアント装置の現在の位置を表わす現在位置データを出力する現在位置データ出力装置と、
前記現在位置データを受け、前記現在の位置が含まれている特定の地域を表わす特定の地域データを出力する地域データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットを管轄する前記第１及び前記第２のＩＳＰを表わす第１及び第２のＩＳＰデータとを記憶している位置データテーブルと、
前記クライアント装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２のＩＳＰデータのうちの一つを特定のＩＳＰデータとして出力するＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするクライアント装置。
【請求項２２】
請求項２１に記載のクライアント装置において、
前記複数の地域データに対応した前記複数の無線ＬＡＮ通信モードの各々は、対応した地域データにて表わされる地域にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを介してインターネット接続を行うものであることを特徴とするクライアント装置。
【請求項２３】
請求項２１に記載のクライアント装置において、
前記現在位置データ出力装置は、ＧＰＳ（Ｇｌｏｂａｌ  Ｐｏｓｉｔｉｏｎｉｎｇ  Ｓｙｓｔｅｍ）信号を受信し、該クライアント装置の現在の位置を表わす現在位置データを出力するＧＰＳ受信装置であることを特徴とするクライアント装置。
【請求項２４】
請求項２１に記載のクライアント装置において、
前記現在位置データ出力装置は、前記クライアント装置の現在の位置を表わす現在位置データを出力するジャイロスコープであることを特徴とするクライアント装置。
【発明の詳細な説明】
【０００１】
【発明の属する技術分野】
本発明は、無線ＬＡＮ接続装置を有する装置に関する。
【０００２】
【従来の技術】
無線（Ｗｉｒｅｌｅｓｓ）ＬＡＮ（Ｌｏｃａｌ  Ａｒｅａ  Ｎｅｔｗｏｒｋ）は、コンピュータ装置（例えば、パーソナルコンピュータ）等をインターネットに無線で接続するのに用いられる。無線ＬＡＮは、無線ＬＡＮ接続装置（例えば、無線ＬＡＮカード等の無線ＬＡＮアダプタ）をコンピュータ装置に設置し、アクセスポイントを、インターネットに接続された通信装置に設置することにより、コンピュータ装置と通信装置との間に構築される。
【０００３】
なお、アクセスポイントを設置し、ＩＳＰ（Ｉｎｔｅｒｎｅｔ  Ｓｅｒｖｉｃｅ  Ｐｒｏｖｉｄｅｒ）が管轄する、無線でのインターネット接続サービスを不特定多数のユーザに提供する空間は、一般的に、ホットスポットと呼ばれる。本明細書では、無線でのインターネット接続サービスを提供する前述の空間を、提供スポット（Ｐｒｏｖｉｄｉｎｇ  Ｓｐｏｔ）とも呼ぶ。
【０００４】
無線ＬＡＮ接続装置を有するコンピュータ装置は、現状では、各国それぞれの無線仕様及び法規に併せて自動で無線ＬＡＮ通信モード（無線周波数チャネル及び送信電力レベル）の設定を選択することが出来ない。従って、コンピュータ装置に装備している無線ＬＡＮ接続装置が現在居る国の無線仕様及び法規に適合していない場合、コンピュータ装置に装備している無線ＬＡＮ接続装置を、その国の無線仕様及び法規に適合している無線ＬＡＮ接続装置に差し替えて使用していた。
【０００５】
また、無線ＬＡＮ接続装置を有するコンピュータ装置を、互いに異なるＩＳＰが管轄している複数の提供スポット（ホットスポット）において使用する場合、持ち込んだ提供スポット（ホットスポット）の管理者に、管轄しているＩＳＰや設定データを訊き、認証情報等の設定データを手動で変更する必要があった。
【０００６】
特許文献１の要約及び［００１１］段落には、「例えばＩＥＥＥ８０２．１１及びブルートゥースプロトコルのような２つの異なった無線ネットワークプロトコル間の周波数調整のために供される技術であって、調整は、第１通信プロトコル（８０２．１１プロトコル）に従って作動し、周波数帯（例えば、２．４ＧＨｚ）を使用する第１無線トランシーバー、有線ネットワークに接続され第１通信プロトコルに従って作動するベースステーション、第２通信プロトコル（ブルートゥースプロトコル）に従って作動し上述の周波数帯を使用する第２無線トランシーバー、及び、順に第１無線トランシーバーを付勢し、第１無線トランシーバーを消勢し、第２無線トランシーバーを付勢し、第２無線トランシーバーを消勢するためにベースステーションと組み合わされた調整器を使用することによって達成される。」ことが記載されている。
【０００７】
特許文献２の［０００３］段落には、各国の国内法は、特殊な用途に使用される特殊タイプのアンテナから放射される実効等方向放射電力（ＥＩＲＰ）量の上限を設定していることが記載され、前記特許文献２の要約及び［０００８］〜［００１０］段落には、電波のフェージング等が生じても、各国の国内法で定められるＥＩＲＰの上限を超えることがないように送信出力を制御できるセルラ無線基地局装置が開示されている。
【０００８】
特許文献３には、広域無線網の無線端末ユーザにその位置する地域に関する情報を提供できるとともに、その近辺に位置する店舗等に関する情報をも確実に提供することができる情報検索サービスシステムが開示されている。
【０００９】
特許文献４には、個人の端末を公衆スポットのインターネット環境で利用可能とし、自宅と公衆スポットとで同じＩＳＰ（Ｉｎｔｅｒｎｅｔ  Ｓｅｒｖｉｃｅ  Ｐｒｏｖｉｄｅｒ）を利用可能とする方法が開示されている。
【００１０】
【特許文献１】
特開２００２−１８５４７６号公報。
【００１１】
【特許文献２】
特開平７−３３６２９４号公報。
【００１２】
【特許文献３】
特開２００１−２２３７１２号公報。
【００１３】
【特許文献４】
特開２００２−１５２２７６号公報。
【００１４】
【発明が解決しようとする課題】
上述したように、無線ＬＡＮ接続装置を有するコンピュータ装置を国外で使用する場合、規格や電波法規の国による違いにより、無線ＬＡＮに接続できない場合があった。このように、無線ＬＡＮ接続装置自体を行き先の国で使用できない場合には、行き先で新たに行き先の国に適した仕様を持つ、別の無線ＬＡＮ接続装置を購入若しくは借用する必要があった。
【００１５】
また、無線ＬＡＮ接続装置を有するコンピュータ装置において、現状では、提供スポット（ホットスポット）毎に異なるＩＳＰに合わせて、ＩＳＰ契約データを自動で選択することが出来ず、手動でＩＳＰ契約データの設定データを変更しなければならない。
【００１６】
本発明の目的は、無線ＬＡＮ接続装置を有するコンピュータ装置（或いはクライアント装置）において、該コンピュータ装置（或いはクライアント装置）の現在の位置を表わす現在位置データを得る装置を備え、その現在位置データから現在居る地域（国や州）を特定し、各地域それぞれの無線仕様や法規に合わせ自動で無線ＬＡＮ通信モード（無線周波数チャネル及び送信電力レベル）の設定を変更するようにしたコンピュータ装置（或いはクライアント装置）を提供することにある。
【００１７】
本発明のもう一つの目的は、無線ＬＡＮ接続装置を有するコンピュータ装置（或いはクライアント装置）において、該コンピュータ装置（或いはクライアント装置）の現在の位置を表わす現在位置データを得る装置を備え、その現在位置データから現在居る提供スポット（ホットスポット）を特定し、提供スポット（ホットスポット）毎に異なるＩＳＰに自動的に適合でき、手動でのＩＳＰ契約データの変更を不必要にしたコンピュータ装置（或いはクライアント装置）を提供することにある。
【００１８】
【課題を解決するための手段】
本発明の第１の態様によれば、
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するコンピュータ装置であって、
前記イネーブリング装置は、
前記コンピュータ装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の地域を表わす第１及び第２の地域データと、前記第１及び前記第２の提供スポットを管轄する前記第１及び前記第２のＩＳＰを表わす第１及び第２のＩＳＰデータとを記憶している位置データテーブルと、
前記コンピュータ装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の地域データのうちの一つを特定の地域データとして出力すると共に、前記特定のスポットデータに対応する前記第１及び前記第２のＩＳＰデータのうちの一つを特定のＩＳＰデータとして出力する地域データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするコンピュータ装置が得られる。
【００１９】
本発明の第２の態様によれば、
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するコンピュータ装置であって、
前記イネーブリング装置は、
前記コンピュータ装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の国を表わす第１及び第２の国データと、前記第１及び前記第２の提供スポットを管轄する前記第１及び前記第２のＩＳＰを表わす第１及び第２のＩＳＰデータとを記憶している位置データテーブルと、
前記コンピュータ装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の国データのうちの一つを特定の国データとして出力すると共に、前記特定のスポットデータに対応する前記第１及び前記第２のＩＳＰデータのうちの一つを特定のＩＳＰデータとして出力する国データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の国データに対応した複数の無線ＬＡＮ通信モードを有し、前記イネーブル信号を受け、かつ、前記特定の国データを受けると、前記特定の国データに対応した前記複数の無線ＬＡＮ通信モードの一つを設定通信モードとして自動設定し、該設定通信モードにて前記無線ＬＡＮを介してインターネット接続を行うものであることを特徴とするコンピュータ装置が得られる。
【００２０】
本発明の第３の態様によれば、
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するコンピュータ装置であって、
前記イネーブリング装置は、
前記コンピュータ装置の現在の位置を表わす現在位置データを出力する現在位置データ出力装置と、
前記現在位置データを受け、前記現在の位置が含まれている特定の地域を表わす特定の地域データを出力する地域データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットを管轄する前記第１及び前記第２のＩＳＰを表わす第１及び第２のＩＳＰデータとを記憶している位置データテーブルと、
前記コンピュータ装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２のＩＳＰデータのうちの一つを特定のＩＳＰデータとして出力するＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするコンピュータ装置が得られる。
【００２１】
本発明の第４の態様によれば、
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するクライアント装置であって、
前記イネーブリング装置は、
前記クライアント装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の地域を表わす第１及び第２の地域データと、前記第１及び前記第２の提供スポットを管轄する前記第１及び前記第２のＩＳＰを表わす第１及び第２のＩＳＰデータとを記憶している位置データテーブルと、
前記クライアント装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の地域データのうちの一つを特定の地域データとして出力すると共に、前記特定のスポットデータに対応する前記第１及び前記第２のＩＳＰデータのうちの一つを特定のＩＳＰデータとして出力する地域データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするクライアント装置が得られる。
【００２２】
本発明の第５の態様によれば、
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するクライアント装置であって、
前記イネーブリング装置は、
前記クライアント装置の現在の位置を表わす現在位置データを出力する現在位置データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットが含まれている第１及び第２の国を表わす第１及び第２の国データと、前記第１及び前記第２の提供スポットを管轄する前記第１及び前記第２のＩＳＰを表わす第１及び第２のＩＳＰデータとを記憶している位置データテーブルと、
前記クライアント装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２の国データのうちの一つを特定の国データとして出力すると共に、前記特定のスポットデータに対応する前記第１及び前記第２のＩＳＰデータのうちの一つを特定のＩＳＰデータとして出力する国データ及びＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の国データに対応した複数の無線ＬＡＮ通信モードを有し、前記イネーブル信号を受け、かつ、前記特定の国データを受けると、前記特定の国データに対応した前記複数の無線ＬＡＮ通信モードの一つを設定通信モードとして自動設定し、該設定通信モードにて前記無線ＬＡＮを介してインターネット接続を行うものであることを特徴とするクライアント装置が得られる。
【００２３】
本発明の第６の態様によれば、
無線ＬＡＮ（Ｌｏｃａｌ  Ａｒｅａ  Ｎｅｔｗｏｒｋ）を介してインターネット接続を行う無線ＬＡＮ接続装置と、
互いに異なる第１及び第２の位置に在り、互いに異なる第１及び第２のＩＳＰ（Ｉｎｔｅｒｎｅｔ  Ｓｅｒｖｉｃｅ  Ｐｒｏｖｉｄｅｒ）が管轄する、無線でのインターネット接続サービスを提供する空間である、第１及び第２の提供スポットのいずれにおいても、前記無線ＬＡＮ接続装置に、前記無線ＬＡＮを介しての前記インターネット接続を可能にするイネーブリング装置とを、有するクライアント装置であって、
前記イネーブリング装置は、
前記クライアント装置の現在の位置を表わす現在位置データを出力する現在位置データ出力装置と、
前記現在位置データを受け、前記現在の位置が含まれている特定の地域を表わす特定の地域データを出力する地域データ出力装置と、
前記第１及び前記第２の提供スポットを表わす第１及び第２のスポットデータに対応して、前記第１及び前記第２の位置を表わす第１及び第２のスポット位置データと、前記第１及び前記第２の提供スポットを管轄する前記第１及び前記第２のＩＳＰを表わす第１及び第２のＩＳＰデータとを記憶している位置データテーブルと、
前記クライアント装置のユーザが前記第１及び前記第２のＩＳＰと契約した際の第１及び第２の契約データを、前記第１及び前記第２のＩＳＰを表わす前記第１及び前記第２のＩＳＰデータに対応して、記憶しているＩＳＰ契約データテーブルと、
前記現在位置データを受け、前記位置データテーブルを参照して、前記現在位置データに一致する前記第１及び前記第２のスポット位置データのうちの一つに対応する前記第１及び前記第２のスポットデータのうちの一つを特定のスポットデータとして特定し、該特定のスポットデータに対応する前記第１及び前記第２のＩＳＰデータのうちの一つを特定のＩＳＰデータとして出力するＩＳＰデータ出力装置と、
前記特定のＩＳＰデータを受け、前記ＩＳＰ契約データテーブルを参照して、前記ＩＳＰ契約データテーブル中に、前記特定のＩＳＰデータに一致する前記第１及び前記第２のＩＳＰデータのうちの一つに対応して、前記第１及び前記第２の契約データのうちの一つが記憶されている場合に、イネーブル信号を出力するイネーブル信号出力装置とを有し、
前記無線ＬＡＮ接続装置は、予め、複数の地域データに対応した複数の無線ＬＡＮ通信モードを有し、前記イネーブル信号を受け、かつ、前記特定の地域データを受けると、前記特定の地域データに対応した前記複数の無線ＬＡＮ通信モードの一つを設定通信モードとして自動設定し、該設定通信モードにて前記無線ＬＡＮを介してインターネット接続を行うものであることを特徴とするクライアント装置が得られる。
【００２４】
前述の特許文献１、特許文献２、特許文献３、及び特許文献４は、いずれも、コンピュータ装置（或いはクライアント装置）の現在の位置を表わす現在位置データを出力する現在位置データ出力装置や、位置データテーブルや、ＩＳＰ契約データテーブルや、現在位置データを受け、現在の位置が含まれている特定の地域を表わす特定の地域データを出力する装置や、現在位置データを受け、コンピュータ装置（或いはクライアント装置）を持ち込んだ提供スポット（ホットスポット）のＩＳＰに関するデータを特定のＩＳＰデータとして出力する装置や、イネーブル信号出力装置等を開示していない。
【００２５】
しかも、前述の特許文献１、特許文献２、特許文献３、及び特許文献４は、いずれも、無線ＬＡＮ接続装置が、イネーブル信号を受け、かつ、特定の地域データを受けると、特定の地域データに対応した複数の無線ＬＡＮ通信モードの一つを設定通信モードとして自動設定し、該設定通信モードにて無線ＬＡＮを介してインターネット接続を行うことも、開示してはいない。
【００２６】
【発明の実施の形態】
次に本発明の実施例について図面を参照して説明する。
【００２７】
図１を参照すると、本発明の第１の実施例によるコンピュータ装置１０は、例えば、パーソナルコンピュータであって、無線ＬＡＮ接続装置１１と、イネーブリング装置１２とを有する。
【００２８】
無線ＬＡＮ接続装置１１は、無線ＬＡＮ（Ｌｏｃａｌ  Ａｒｅａ  Ｎｅｔｗｏｒｋ）１３を介してインターネット１４に対する接続を行うものである。無線ＬＡＮ接続装置１２は、例えば、無線ＬＡＮカード等の無線ＬＡＮアダプタである。
【００２９】
無線ＬＡＮ１３は、無線ＬＡＮ接続装置１１をコンピュータ装置１０に設置し、アクセスポイント１５を、インターネット１４に接続された通信装置１６に設置することにより、コンピュータ装置１０と通信装置１６との間に構築される。
【００３０】
なお、ＨＰ＃１は、アクセスポイント１５を設置し、ＩＳＰ（Ｉｎｔｅｒｎｅｔ  Ｓｅｒｖｉｃｅ  Ｐｒｏｖｉｄｅｒ）が管轄する、無線でのインターネット接続サービスを不特定多数のユーザに提供する空間である、ホットスポット（或いは、提供スポット（Ｐｒｏｖｉｄｉｎｇ  Ｓｐｏｔ））を示す。また、ＨＰ＃２は、別の位置に在り、別のＩＳＰが管轄する、別のホットスポット（或いは、提供スポット）を示す。
【００３１】
イネーブリング装置１２は、互いに異なる第１及び第２の位置に在り、互いに異なる第１及び第２のＩＳＰが管轄する第１及び第２の提供スポットＨＰ＃１及びＨＰ＃２のいずれにおいても、無線ＬＡＮ接続装置１１に、無線ＬＡＮ１３を介してのインターネット接続を可能にするものである。
【００３２】
イネーブリング装置１２は、現在位置データ出力装置１７と、位置データテーブル１８と、ＩＳＰ契約データテーブル１９と、地域データ及びＩＳＰデータ出力装置２０と、イネーブル信号出力装置２１とを有する。
【００３３】
現在位置データ出力装置１７は、コンピュータ装置１０の現在の位置を表わす現在位置データを出力するものである。現在位置データ出力装置１７は、例えば、ＧＰＳ（Ｇｌｏｂａｌ  Ｐｏｓｉｔｉｏｎｉｎｇ  Ｓｙｓｔｅｍ）信号を受信し、コンピュータ装置１０の現在の位置を表わす現在位置データを出力するＧＰＳ受信装置である。代りに、現在位置データ出力装置１７は、コンピュータ装置１０の現在の位置を表わす現在位置データを出力するジャイロスコープであっても良い。
【００３４】
図１に加えて図２をも参照して、位置データテーブル１８は、第１及び第２の提供スポットＨＰ＃１及びＨＰ＃２（ハンバーガー墨田店及びコーヒーニューヨーク店とする）を表わす第１及び第２のスポットデータに対応して、第１及び第２の位置（ハンバーガー墨田店の北緯Ｎ及び東経Ｅ及びコーヒーニューヨーク店の北緯Ｎ及び西経Ｗ）を表わす第１及び第２のスポット位置データと、第１及び第２の提供スポットが含まれている第１及び第２の地域（地域は、国、或いは、州である。図２に図示の場合、日本及びアメリカである。）を表わす第１及び第２の地域データ（図２の場合、国データ）と、第１及び第２の提供スポットＨＰ＃１及びＨＰ＃２を管轄する第１及び第２のＩＳＰ（図２の場合、ＩＳＰ１及びＩＳＰ４）を表わす第１及び第２のＩＳＰデータ（プロバイダデータ）とを記憶している。同様に、位置データテーブル１８は、他の提供スポット（コーヒー渋谷店、ハンバーガー代官山店、及びホテル赤坂店）を表わすスポットデータに対応して、スポット位置データと、国データと、ＩＳＰデータとを記憶している。
【００３５】
図１に加えて図３をも参照して、ＩＳＰ契約データテーブル１９は、コンピュータ装置１０のユーザが第１及び第２のＩＳＰ（ＩＳＰ１及びＩＳＰ４）と契約した際の第１及び第２の契約データ（設定データ）を、第１及び第２のＩＳＰ（ＩＳＰ１及びＩＳＰ４）を表わす第１及び第２のＩＳＰデータに対応して、記憶している。同様に、ＩＳＰ契約データテーブル１９は、コンピュータ装置１０のユーザが他のＩＳＰ（ＩＳＰ２及びＩＳＰ３）と契約した際の契約データ（設定データ）を、他のＩＳＰ（ＩＳＰ２及びＩＳＰ３）を表わす第１及び第２のＩＳＰデータに対応して、記憶している。
【００３６】
以下、説明を簡略にするため、コンピュータ装置１０のユーザが第１及び第２のＩＳＰ（ＩＳＰ１及びＩＳＰ４）のみと契約しており、従って、図３のＩＳＰ契約データテーブル１９は、第１及び第２のＩＳＰ（ＩＳＰ１及びＩＳＰ４）を表わす第１及び第２のＩＳＰデータに対応した第１及び第２の契約データ（設定データ）のみを記憶しているものとして説明する。更に、図２の位置データテーブル１８は、第１及び第２の提供スポットＨＰ＃１及びＨＰ＃２（ハンバーガー墨田店及びコーヒーニューヨーク店）を表わす第１及び第２のスポットデータに対応して、第１及び第２の位置（ハンバーガー墨田店の北緯Ｎ及び東経Ｅ及びコーヒーニューヨーク店の北緯Ｎ及び西経Ｗ）を表わす第１及び第２のスポット位置データと、第１及び第２の提供スポットが含まれている第１及び第２の地域（日本及びアメリカ）を表わす第１及び第２の地域データ（国データ）と、第１及び第２の提供スポットＨＰ＃１及びＨＰ＃２を管轄する第１及び第２のＩＳＰ（ＩＳＰ１及びＩＳＰ４）を表わす第１及び第２のＩＳＰデータとを記憶しているものとして説明する。
【００３７】
図１において、地域データ及びＩＳＰデータ出力装置２０は、現在位置データ出力装置１７から現在位置データを受け、位置データテーブル１８を参照して、現在位置データに一致する第１及び第２のスポット位置データのうちの一つに対応する第１及び第２のスポットデータのうちの一つを特定のスポットデータとして特定し、特定のスポットデータに対応する第１及び第２の地域データ（第１及び第２の国データ）のうちの一つを特定の地域データ（特定の国データ）２２として出力すると共に、特定のスポットデータに対応する第１及び第２のＩＳＰデータのうちの一つを特定のＩＳＰデータ２３として出力する。
【００３８】
イネーブル信号出力装置２１は、特定のＩＳＰデータ２３を受け、ＩＳＰ契約データテーブル１９を参照して、ＩＳＰ契約データテーブル１９中に、特定のＩＳＰデータ２３に一致する第１及び第２のＩＳＰデータのうちの一つに対応して、第１及び第２の契約データのうちの一つが記憶されている場合に、イネーブル信号ＥＮＡを出力する。
【００３９】
無線ＬＡＮ接続装置１１は、予め、複数の地域データ（複数の国データ）に対応した複数の無線ＬＡＮ通信モード２４を有し、イネーブル信号ＥＮＡを受け、かつ、特定の地域データ２２を受けると、特定の地域データ２２に対応した複数の無線ＬＡＮ通信モード２４の一つを設定通信モードとして自動設定し、該設定通信モードにて無線ＬＡＮ１３を介してインターネット接続を行う。
【００４０】
具体的には、複数の地域データに対応した複数の無線ＬＡＮ通信モード２４の各々は、対応した地域データ（国データ）にて表わされる地域（国）にて使用されている無線周波数チャネル及び送信電力レベルによって決定されるものである。無線ＬＡＮ接続装置１２は、設定通信モードを決定する無線周波数チャネル及び送信電力レベルにて無線ＬＡＮ１３を介してインターネット接続を行う。
【００４１】
図４を参照すると、本発明の第２の実施例によるクライアント装置１０’は、例えば、パーソナルコンピュータや、ＰＤＡ（Ｐｅｒｓｏｎａｌ  Ｄｉｇｉｔａｌ  Ａｓｓｉｓｔａｎｔ）であって、同様の参照符号で示された同様の部分を含む。
【００４２】
この図４のクライアント装置１０’は、現在位置データ出力装置としてＧＰＳ受信装置１７’を有している。ＧＰＳ受信装置１７’は、人工衛星からのＧＰＳ（Ｇｌｏｂａｌ  Ｐｏｓｉｔｉｏｎｉｎｇ  Ｓｙｓｔｅｍ）信号を受信し、本クライアント装置１０’の現在の位置を表わす現在位置データを出力する。
【００４３】
もちろん、図４のクライアント装置１０’においても、ＧＰＳ受信装置１７’の代りに、クライアント装置１０’の現在の位置を表わす現在位置データを出力するジャイロスコープを用いることもできる。
【００４４】
以上のこと以外は、図４のクライアント装置１０’は図１のコンピュータ装置１０と同様である。
【００４５】
図５を参照すると、本発明の第３の実施例によるコンピュータ装置３０は、例えば、パーソナルコンピュータであって、以下に述べること以外は、図１のコンピュータ装置１０と同様である。
【００４６】
図５のコンピュータ装置３０では、図１の位置データテーブル１８の代りに、位置データテーブル１８’が用いられることと、図１の地域データ及びＩＳＰデータ出力装置２０の代りに、地域データ出力装置２０’とＩＳＰデータ出力装置２０”とが設けられていることである。
【００４７】
図５に加えて図６をも参照して、位置データテーブル１８’は、第１及び第２の提供スポットＨＰ＃１及びＨＰ＃２（ハンバーガー墨田店及びコーヒーニューヨーク店とする）を表わす第１及び第２のスポットデータに対応して、第１及び第２の位置（ハンバーガー墨田店の北緯Ｎ及び東経Ｅ及びコーヒーニューヨーク店の北緯Ｎ及び西経Ｗ）を表わす第１及び第２のスポット位置データと、第１及び第２の提供スポットＨＰ＃１及びＨＰ＃２を管轄する第１及び第２のＩＳＰ（図２の場合、ＩＳＰ１及びＩＳＰ４）を表わす第１及び第２のＩＳＰデータ（プロバイダデータ）とを記憶している。図６の位置データテーブル１８’には、図２の位置データテーブル１８における、第１及び第２の提供スポットが含まれている第１及び第２の地域（地域は、国、或いは、州である。図２に図示の場合、日本及びアメリカである。）を表わす第１及び第２の地域データ（図２の場合、国データ）は、記憶されていない。
【００４８】
同様に、位置データテーブル１８’は、他の提供スポット（コーヒー渋谷店、ハンバーガー代官山店、及びホテル赤坂店）を表わすスポットデータに対応して、スポット位置データと、ＩＳＰデータとを記憶している。位置データテーブル１８’には、図２の位置データテーブル１８における、国データは、記憶されていない。
【００４９】
以下、説明を簡略にするため、コンピュータ装置２０’のユーザが第１及び第２のＩＳＰ（ＩＳＰ１及びＩＳＰ４）のみと契約しており、従って、ＩＳＰ契約データテーブル１９（図３）は、第１及び第２のＩＳＰ（ＩＳＰ１及びＩＳＰ４）を表わす第１及び第２のＩＳＰデータに対応した第１及び第２の契約データ（設定データ）のみを記憶しているものとして説明する。更に、図６の位置データテーブル１８’は、第１及び第２の提供スポットＨＰ＃１及びＨＰ＃２（ハンバーガー墨田店及びコーヒーニューヨーク店）を表わす第１及び第２のスポットデータに対応して、第１及び第２の位置（ハンバーガー墨田店の北緯Ｎ及び東経Ｅ及びコーヒーニューヨーク店の北緯Ｎ及び西経Ｗ）を表わす第１及び第２のスポット位置データと、第１及び第２の提供スポットＨＰ＃１及びＨＰ＃２を管轄する第１及び第２のＩＳＰ（ＩＳＰ１及びＩＳＰ４）を表わす第１及び第２のＩＳＰデータとを記憶しているものとして説明する。
【００５０】
図５において、地域データ出力装置２０’は、現在位置データ出力装置１７から現在位置データを受け、現在の位置が含まれている特定の地域（特定の国）を表わす特定の地域データ（特定の国データ）２２を出力する。
【００５１】
ＩＳＰデータ出力装置２０”は、現在位置データ出力装置１７から現在位置データを受け、位置データテーブル１８’を参照して、現在位置データに一致する第１及び第２のスポット位置データのうちの一つに対応する第１及び第２のスポットデータのうちの一つを特定のスポットデータとして特定し、特定のスポットデータに対応する第１及び第２のＩＳＰデータのうちの一つを特定のＩＳＰデータ２３として出力する。
【００５２】
イネーブル信号出力装置２１は、ＩＳＰデータ出力装置２０”から特定のＩＳＰデータ２３を受け、ＩＳＰ契約データテーブル１９を参照して、ＩＳＰ契約データテーブル１９中に、特定のＩＳＰデータ２３に一致する第１及び第２のＩＳＰデータのうちの一つに対応して、第１及び第２の契約データのうちの一つが記憶されている場合に、イネーブル信号ＥＮＡを出力する。
【００５３】
無線ＬＡＮ接続装置１１は、イネーブル信号出力装置２１からイネーブル信号ＥＮＡを受け、かつ、地域データ出力装置２０’から特定の地域データ２２を受けると、特定の地域データ２２に対応した複数の無線ＬＡＮ通信モード２４の一つを設定通信モードとして自動設定し、該設定通信モードにて無線ＬＡＮ１３を介してインターネット接続を行う。
【００５４】
図７を参照すると、本発明の第４の実施例によるクライアント装置３０’は、例えば、パーソナルコンピュータや、ＰＤＡ（Ｐｅｒｓｏｎａｌ  Ｄｉｇｉｔａｌ  Ａｓｓｉｓｔａｎｔ）であって、同様の参照符号で示された同様の部分を含む。
【００５５】
この図７のクライアント装置３０’は、現在位置データ出力装置としてＧＰＳ受信装置１７’を有している。ＧＰＳ受信装置１７’は、人工衛星からのＧＰＳ（Ｇｌｏｂａｌ  Ｐｏｓｉｔｉｏｎｉｎｇ  Ｓｙｓｔｅｍ）信号を受信し、本クライアント装置３０’の現在の位置を表わす現在位置データを出力する。
【００５６】
もちろん、図７のクライアント装置３０’においても、ＧＰＳ受信装置１７’の代りに、クライアント装置３０’の現在の位置を表わす現在位置データを出力するジャイロスコープを用いることもできる。
【００５７】
以上のこと以外は、図７のクライアント装置３０’は図５のコンピュータ装置３０と同様である。
【００５８】
次に、図８を参照して、コンピュータ装置１０（図１）或いはクライアント装置１０’（図４）に位置データテーブル１８を更新させる方法を説明する。
【００５９】
インターネット１４に接続されたサーバ装置５０に、スポット位置データと国データとスポットデータとＩＳＰデータ（プロバイダデータ）とを関連づけた図２の位置データテーブル１８と同様な位置データテーブル５１を設け、サーバ装置５０において、提供スポット（ホットスポット）の追加等により位置データテーブル５１に変更があった場合、コンピュータ装置１０（図１）或いはクライアント装置１０’に変更を通知する。
【００６０】
コンピュータ装置１０（図１）或いはクライアント装置１０’において、サーバ装置５０からの位置情報テーブル５１の更新があった場合、ユーザに更新を通知する。
【００６１】
コンピュータ装置１０（図１）或いはクライアント装置１０’において、インターネットを介してサーバ装置にアクセスし、サーバ装置からクライアント装置１０’へ位置データテーブルのデータのダウンロードを行う。
【００６２】
以上説明したように、本発明では、ユーザが無線ＬＡＮ接続装置とＧＰＳ受信装置（或いは、ジャイロスコープ）とを有するコンピュータ装置（或いは、クライアント装置）を提供スポット（ホットスポット）に持ち込み、コンピュータ装置（或いは、クライアント装置）を起動した際、ＧＰＳ受信装置（或いは、ジャイロスコープ）で受信している現在位置データにより、現在位置する地域データが変更されると共に、無線ＬＡＮ接続装置に通知される。また、現在位置データにより、現在居る提供スポット（ホットスポット）が特定され、提供スポット（ホットスポット）毎に異なるＩＳＰに自動的に適合できる。
【００６３】
無線ＬＡＮ接続装置に設定されている無線周波数チャネルと送信電力レベルの設定テーブルを参照して、地域データを元に、現在位置する地域の電波法規及び無線仕様に適合した設定が抽出される。
【００６４】
抽出された設定は、無線ＬＡＮ接続装置に組み込まれ、ユーザが再び無線ＬＡＮ接続を行うために訪れた無線ＬＡＮアクセスポイントにおいて、即座に使用可能となる。
【００６５】
ユーザは提供スポット（ホットスポット）間の移動を意識することなく、自身がクライアントシステムのネットワーク設定及び契約設定及び課金情報を切り替えることなく、直ちに使用することが可能となる。
【００６６】
【発明の効果】
以上説明したように、本発明によれば、無線ＬＡＮ接続装置を有するコンピュータ装置（或いはクライアント装置）において、該コンピュータ装置（或いはクライアント装置）の現在の位置を表わす現在位置データを得る装置を備え、その現在位置データから現在居る地域（国や州）を特定し、各地域それぞれの無線仕様や法規に合わせ自動で無線ＬＡＮ通信モード（無線周波数チャネル及び送信電力レベル）の設定を変更するようにしたコンピュータ装置（或いはクライアント装置）が得られる。
【００６７】
更に本発明によれば、無線ＬＡＮ接続装置を有するコンピュータ装置（或いはクライアント装置）において、該コンピュータ装置（或いはクライアント装置）の現在の位置を表わす現在位置データを得る装置を備え、その現在位置データから現在居る提供スポット（ホットスポット）を特定し、提供スポット（ホットスポット）毎に異なるＩＳＰに自動的に適合でき、手動でのＩＳＰ契約データの変更を不必要にしたコンピュータ装置（或いはクライアント装置）が得られる。
【図面の簡単な説明】
【図１】本発明の第１の実施例によるコンピュータ装置のブロック図である。
【図２】図１に示したコンピュータ装置に用いられる位置データテーブルの内容を示す図である。
【図３】図１に示したコンピュータ装置に用いられるＩＳＰ契約データテーブルの内容を示す図である。
【図４】本発明の第２の実施例によるクライアント装置のブロック図である。
【図５】本発明の第３の実施例によるコンピュータ装置のブロック図である。
【図６】図５に示したコンピュータ装置に用いられる位置データテーブルの内容を示す図である。
【図７】本発明の第４の実施例によるクライアント装置のブロック図である。
【図８】図１のコンピュータ装置、或いは図４のクライアント装置に位置データテーブルを更新させる方法の説明に使用するブロック図である。
【符号の説明】
１０    コンピュータ装置
１０’    クライアント装置
１１    無線ＬＡＮ接続装置
１２    イネーブリング装置
１３    無線ＬＡＮ
１４    インターネット
１５    アクセスポイント
１６    通信装置
１７    現在位置データ出力装置
１７’    ＧＰＳ受信装置
１８    位置データテーブル
１８’    位置データテーブル
１９    ＩＳＰ契約データテーブル
２０    地域データ及びＩＳＰデータ出力装置
２０’    地域データ出力装置
２０”    ＩＳＰデータ出力装置
２１    イネーブル信号出力装置
２２    特定の地域データ（或いは、特定の国データ）
２３    特定のＩＳＰデータ
２４    複数の無線ＬＡＮ通信モード
３０    コンピュータ装置
３０’    クライアント装置
５０    サーバ装置
５１    位置データテーブル
ＨＰ＃１    提供スポット（或いは、ホットスポット）
ＨＰ＃２    提供スポット（或いは、ホットスポット）
ＥＮＡ    イネーブル信号
【図１】
2004178135.tif 000003
【図２】
2004178135.tif 000004
【図３】
2004178135.tif 000005
【図４】
2004178135.tif 000006
【図５】
2004178135.tif 000007
【図６】
2004178135.tif 000008
【図７】
2004178135.tif 000009
【図８】
2004178135.tif 000010